(57)【要約】      （修正有）【課題】支持力、引張強さ及び安全性が強化され、さらにコンパクトに収納できる補強裝置を提供する。【解決手段】支持力、引張強さ及び安全性が強化された補強裝置１は、接続ベース１１、第１ハブユニット１２、積載ユニット１３、補強ユニット１４を含み、接続ベース１１は、補強装置１を所定の箇所に接続固定するために用いられ、第１ハブユニット１２は、接続ベース１１及び積載ユニット１３の両者を回転可能に軸支するよう、一端が接続ベース１１に接続されるとともに、他端が積載ユニット１３に接続されており、積載ユニット１３は、積載物に対する圧力を強化するよう第１ハブユニット１２に接続されており、補強ユニット１４は、一端が積載ユニット１３に接続されるとともに、他端が接続ベース１１に支持されている。【選択図】図１
0003219243.tif 000002
【実用新案登録請求の範囲】
【請求項１】
支持力、引張強さ、及び安全性が強化された補強裝置であって、
接続ベース、第１ハブユニット、積載ユニット、補強ユニットを含み、
前記接続ベースは、前記補強装置を所定の箇所に接続固定するために用いられ、
前記第１ハブユニットは、接続ベース及び積載ユニットの両者を回転可能に軸支するよう、一端が接続ベースに接続されるとともに、他端が積載ユニットに接続されており、
前記積載ユニットは、積載物に対する圧力を強化するよう第１ハブユニットに接続されており、
前記補強ユニットは、一端が積載ユニットに接続されるとともに、他端が接続ベースに支持されており、
前記積載ユニットと補強ユニットの接続端が第２ハブユニットにより接続されており、且つ、前記積載ユニットには磁石が設けられており、補強ユニットには磁石に対応する磁性部材が設けられており、補強ユニットが力を受けて上方へと積載ユニットに近接すると、前記補強ユニットは磁性部材により積載ユニットの磁石に引き付けられて積載ユニットに固定接続されることを特徴とする補強装置。
【請求項２】
前記補強ユニットは、磁性を有する金属材質からなる請求項１に記載の支持力、引張強さ、及び安全性が強化された補強裝置。
【請求項３】
前記積載ユニットの内部には収容空間が設けられており、前記磁石は収容空間に設けられ、補強ユニットの磁性部材が磁石に近接すると、磁性部材と磁石が磁力によって引き合うことで前記補強ユニットが収容空間に進入する請求項１に記載の支持力、引張強さ、及び安全性が強化された補強裝置。
【考案の詳細な説明】
【技術分野】
【０００１】
本考案は、補強装置に関し、より詳細には、支持力、引張強さ、及び安全性が強化された補強裝置に関する。
【背景技術】
【０００２】
積載ユニットの支持力や積載重量を補強するための補強装置は、一般的に、積載ユニットと固定ベースとに一体的に接続して用いられるものであり、当該補強装置の一端が固定ベースに接続され、補強装置の他端が積載ユニットに接続されている。固定ベースは、積載ユニットの支持能力を補助する役割を担うものであり、積載ユニットを固定するために使用されるので、変形されにくい材質で構成されている。このようにして、一般的に、積載ユニットと固定ベースと補強装置で三角形状に固定するようになっている。この補強装置を使用した後に、積載ユニットは固定された状態または展開された状態となる。このときに積載ユニットが一定のスペースを占有するので、補強装置を使用しないときに広い保管スペースが必要になる。したがって、補強性能を得ることができ、かつ補強装置をコンパクトに収納できることが、当該分野における重要課題である。
【０００３】
従来の柱状物補強装置を開示する文献としては、例えば特許文献１（特開２０１８−１００５５１号公報）がある。特許文献１に開示の柱状物補強装置は、先端部と基端部とを有し、前記基端部が地中に埋め込まれることによって地面に設置された中空柱状物を補強するためのものであって、前記中空柱状物の内部で地中と地上との境界部である地際部の上下に跨るように設置される補強部と、前記中空柱状物の周壁に対して当接するように構成された当接部と、前記中空柱状物の外部からの操作によって前記当接部を前記周壁に対して付勢する付勢部と、を備え、前記当接部は、前記付勢部によって付勢された状態で前記周壁に当接することで、前記中空柱状物に対して長手方向において位置決めされるように構成され、前記補強部は、前記当接部が前記中空柱状物に対して位置決めされた位置決め状態で、前記当接部に対して固定されている。
【０００４】
上記特許文献１に開示の補強装置を用いることによって、短時間で、且つ簡易な作業で中空柱状物を補強することができる。しかしながら、特許文献１に開示の補強装置は、内側が中空の柱状物にしか適用することができず、通常の柱上物の補強については依然として補強性能とコンパクトな収納との両立を図ることはできていない。
【０００５】
上記の問題があるため、本出願人は、長年に亘って関連分野の研究開発に従事し、上述の欠点を掘り下げて議論するとともに上述のニーズを踏まえて積極的に解決案を模索することによって本考案を完成させた。
【先行技術文献】
【特許文献】
【０００６】
【特許文献１】特開２０１８−１００５５１号公報
【考案の概要】
【考案が解決しようとする課題】
【０００７】
本考案の主な目的は、補強装置を提供することであり、より詳細には、支持力、引張強さ、及び安全性が強化された補強裝置を提供することである。
【課題を解決するための手段】
【０００８】
上記目的を達成するために、本考案の補強装置は、接続ベース、第１ハブユニット、積載ユニット、補強ユニットを含む。
【０００９】
接続ベースは、前記補強装置を所定の箇所に接続固定するために用いられる。
【００１０】
第１ハブユニットは、一端が接続ベースに接続されるとともに、他端が積載ユニットに接続されており、接続ベース及び積載ユニットの両者を回転可能に軸支している。
【００１１】
積載ユニットは、積載物に対する圧力を強化するよう第１ハブユニットに接続されている。
【００１２】
補強ユニットは、一端が積載ユニットに接続されるとともに、他端が接続ベースに支持されており、補強ユニットが支持することによって積載ユニットにかかる負荷が分散されることを以って積載ユニットの寿命を延ばすことができるとともに積載ユニットの積載容量を高めることができる。
【００１３】
本考案の特徴として、前記積載ユニットと補強ユニットの接続端が第２ハブユニットにより接続されており、且つ、前記積載ユニットには磁石が設けられており、補強ユニットには磁石に対応する磁性部材が設けられており、補強ユニットが力を受けて上方へと積載ユニットに近接すると、前記補強ユニットは磁性部材により積載ユニットの磁石に引き付けられて積載ユニットに固定接続される。
【００１４】
上記実施形態において、補強ユニットは、磁性を有する金属材質からなるものであってもよい。
【００１５】
上記実施形態において、積載ユニットの内部には収容空間が設けられており、前記磁石は収容空間に設けられ、補強ユニットの磁性部材が磁石に近接すると、これらが磁力により吸引し合うことで前記補強ユニットが収容空間に進入することが好ましい。
【００１６】
上記構成によれば、本考案の補強装置を少なくとも折り畳むことも展開することもできる。本考案の補強装置を折り畳む時には、積載ユニットに対して上向きの力を加えるだけで、補強ユニットが第１ハブユニットを介して接続ベースの方向に向けて回転駆動し、積載ユニットとともに移動して補強ユニットが積載ユニットに近接すると、補強ユニットが磁性部材により積載ユニットの磁石に引き付けられて積載ユニットの収容空間に入り込んで、補強ユニットが受ける重量を磁力によって相殺し、補強ユニット及び積載ユニットを折り畳み状態とすることができる。
【００１７】
上記に続いて、本考案の補強装置を展開する時には、積載ユニットが下向きに回転駆動することによって積載ユニットの磁石と補強ユニットの磁性部材との磁力が引き離されて補強ユニットが展開する。補強ユニットの積載ユニットに固定されている端部と反対側の端部が接続ベースに支持されることによって補強ユニットが積載ユニットを補強し、積載ユニットにかかる荷重を分散して積載ユニットを水平に維持するように積載ユニットを固定することができる。
【図面の簡単な説明】
【００１８】
【図１】本考案の支持力、引張強さ及び安全性が強化された補強装置の拡大図である。
【図２】本考案の支持力、引張強さ及び安全性が強化された補強装置を組み合わせた状態を説明する概略図である。
【図３】本考案の支持力、引張強さ及び安全性が強化された補強装置を支持する積載ユニットの動作を説明する概略図である。
【図４】本考案の支持力、引張強さ及び安全性が強化された補強装置の積載ユニット及び補強ユニットが互いに引き付けられた状態の概略図である。
【考案を実施するための形態】
【００１９】
本考案の目的、機能、特徴及び構造をより詳細に理解されるべく、図面と併せて好ましい実施形態を説明する。
【００２０】
図１及び図２を参照して、図１は、本考案の支持力、引張強さ及び安全性が強化された補強装置の拡大図であり、図２は、本考案の支持力、引張強さ及び安全性が強化された補強装置を組み合わせた状態を説明する概略図である。
【００２１】
本図に示す通り、本考案の支持力、引張強さ及び安全性が強化された補強装置１は、接続ベース１１と、第１ハブユニット１２と、積載ユニット１３と、補強ユニット１４とを備えている。
【００２２】
接続ベース１１は、上記補強装置を所定の箇所に接続固定するために用いられる。
【００２３】
第１ハブユニット１２は、一端が接続ベース１１に接続され、他端が積載ユニット１３に接続されており、接続ベース１１及び積載ユニット１３を回動可能に軸支している。
【００２４】
積載ユニット１３は、当該積載ユニット１３の上に載置された積載物の加重に耐えるように第１ハブユニット１２に接続されている。
【００２５】
補強ユニット１４は、一端が積載ユニット１３に接続されるとともに、他端が接続ベース１１に支持されており、補強ユニット１４が支持することによって積載ユニット１３にかかる負荷が分散されることを以って積載ユニット１３の寿命を延ばすことができるとともに積載ユニット１３の積載容量を高めることができる。
【００２６】
本考案の補強装置は、積載ユニット１３と補強ユニット１４の接続端が第２ハブユニット１５を介して接続されており、且つ、前記積載ユニット１３には磁石１３１が設けられており、補強ユニット１４には磁石１３１に対応する磁性部材１４１が設けられている。そして、補強ユニット１４が力を受けて上方へと積載ユニット１３に近接すると、補強ユニット１４は磁性部材１４１により積載ユニット１３の磁石１３１に引き付けられて積載ユニット１３に固定接続される。
【００２７】
本考案において、補強ユニット１４は、磁性を有する金属材質からなることが好ましい。このような材質で構成されることにより補強ユニット１４と積載ユニット１３との間の磁気的な引力を強化することができる。
【００２８】
積載ユニット１３の内部には収容空間１３２が設けられており、磁石１３１は収容空間１３２に設けられ、補強ユニット１４の磁性部材１４１が磁石１３に近接すると、これらが磁力により吸引し合うことで補強ユニット１４が収容空間１３２に引き寄せられる。このように補強ユニットが収容空間１３２に入り込むことで使用空間を縮小することができる。
【００２９】
本考案の実施形態を、関連する参照図面とともに以下に詳述する。
【００３０】
図３及び図４を参照して、図３は、本考案の支持力、引張強さ及び安全性が強化された補強装置を支持する積載ユニットの動作を説明する概略図であり、図４は、本考案の支持力、引張強さ及び安全性が強化された補強装置の積載ユニット及び補強ユニットが互いに引き付けられた状態の概略図である。
【００３１】
以上の構成により、本考案の補強装置１は、少なくとも折り畳みと展開が可能とされている。本実施形態では、補強装置１は接続ベース１１が壁に連結されており、積載ユニット１３に積載物を載せていない状態で上向きの力がかかると、補強ユニット１４が折り畳まれていて接続ベース１１の元の位置から自然に分離される。そして、積載ユニット１３に積載物を積載することで、第１ハブユニット１２が回転して積載ユニット１３の一端が固定端として接続ベース１１側に移動し、積載ユニット１３が回転して移動している間に、補強ユニット１４が積載ユニット１３とともに回転移動する。そして、補強ユニット１４が積載ユニット１３に近接して、積載ユニット１３の磁石１３１が補強ユニット１４の磁性部材１４１に引き付けられて、補強ユニット１４が積載ユニット１３の収容空間１３２に磁気の力で引き寄せられる。補強ユニット１４が受ける重力を磁力によって相殺することができ、補強ユニット１４が積載ユニット１３に吸引されて固定接続された状態となる。
【００３２】
前述のように、本考案の補強装置を展開すると、積載ユニット１３が下方に回転駆動して補強ユニット１４と積載ユニット１３との間の磁力が引き離されて、積載ユニット１３を接続ベース１１に対して垂直に下降し、補強ユニット１４の積載ユニット１３と接続されている側と反対側のタンブが接続ベース１１に支持される。これにより積載ユニット１３を水平に固定することができ、積載ユニット１３の上方に積載可能な積載ユニット１３が展開された状態が完成する。
【００３３】
上記の積載ユニット１３は、補強ユニット１４によって補強されることによって、積載ユニット１３で保持される重量の３分の１を補強ユニット１４に分散することができ、これにより積載ユニット１３の積載機能を補強することができる。また積載物を別の場所に運搬するときには、補強ユニット１４が、積載ユニット１３の収容空間１３２を受け入れることによって補強ユニット１４を折り畳むことができるので、使用スペースを省スペース化することができる。また、展開した状態で補強ユニット１４を使用することによって、補強ユニット１４の使用寿命を延長することも可能である。このように補強ユニット１４及び積載ユニット１３を展開することで、積載ユニット１３がバランスを失って積載ユニット１３の上に積載された荷物が落下して人が負傷することを防止することができ、より安全に補強ユニット１４を使用することができる。
【００３４】
上記を総合的に纏めると、本考案の支持力、引張強さ、及び安全性が強化された補強裝置の利点は以下の通りである。
１．折り畳みが便利：必要に応じて積載ユニットを展開することも折り畳むこともできるので幅広い空間を必要とすることがない。
２．安全性の向上：展開して使用している限り、補強ユニットが積載ユニットにかかる重力を長期的に分散することができるので、積載ユニット１３の耐用年数を向上させることができる。これにより積載ユニットのバランスが損なわれることがなく、また積載ユニット上の物体が落下して怪我することを防止することができる。
【００３５】
本考案に関する国内外の技術情報文献を確認したところ、本考案がなされる前に同一又は類似の構造が存在しないという事実が判明した。このため、本考案及び本考案の類似製品の進歩性及び実用性が認められる。したがって、本考案は、「創造性」、「産業上の利用可能性」および「進歩性」という実用新案法上の登録要件を満たす。
【００３６】
上記の説明は、本発明の好ましい実施形態を説明したものに過ぎず、本明細書及び実用新案登録請求の範囲に適用される他の均等な構造的変更についても本考案の範囲に含まれるものとする。
【符号の説明】
【００３７】
１    本考案の補強装置
１１    接続ベース
１２    第１ハブユニット
１３    積載ユニット
１３１  磁石
１３２  収容空間
１４    補強ユニット
１４１  磁性部材
１５    第２ハブユニット
【図１】
0003219243.tif 000003
【図２】
0003219243.tif 000004
【図３】
0003219243.tif 000005
【図４】
0003219243.tif 000006